(57)【要約】【課題】  スロットマシンの制御基板またはその基板上の部品をすり替える、という不正行為を高い確度で検出できるようにする。【解決手段】  スロットマシンの筐体２の内部に、２台のディジタルビデオカメラ１０Ａ，１０Ｂを配備する。第１のカメラ１０Ａは、リールユニット８の上方の空間に制御基板５を視野に含むようにして配備される。第２のカメラ１０Ｂは、ホッパ６とリールユニット８との間の空間に、ホッパ６を視野を含むようにして配備される。これらのカメラ１０Ａ，１０Ｂおよびドアセンサ９は、ホール内の管理装置に電気接続される。管理装置は、ドアセンサ９からの扉開放検知信号がオンになると、各カメラ１０Ａ，１０Ｂを作動させ、各カメラ１０Ａ，１０Ｂからの動画像を端末装置に出力して表示させる。【選択図】  図１
2005073936.tif 000002
【特許請求の範囲】
【請求項１】
遊技場に設置された複数台のスロットマシンを監視するためのシステムであって、
各スロットマシンの筐体の内部には、それぞれリールユニットとメダル払出装置と制御基板とが収容され、前記筐体の前面扉の開放を検知するためのドアセンサが設けられるとともに、前記制御基板を視野に含むようにして撮像装置が設置され、
前記遊技場には、各スロットマシンのドアセンサおよび撮像装置に電気接続された管理装置が、画像表示機能を具備する１台以上の端末装置に通信可能な状態で配備され、
前記管理装置は、いずれかのドアセンサからの扉開放検知信号がオン状態になったとき、そのセンサと同じ筐体内に設置された撮像装置を作動させ、この撮像装置からの画像データを前記端末装置に出力することを特徴とするスロットマシンの監視システム。
【請求項２】
各スロットマシンの筐体内部には、前記メダル払出装置を視野に含むようにして第２の撮像装置が設置されており、
前記管理装置は、前記ドアセンサからの扉開放検知信号がオン状態になったとき、そのセンサと同じ筐体内に設置された２台の撮像装置を作動させる請求項１に記載されたスロットマシンの監視システム。
【請求項３】
前記管理装置は、前記撮像装置からの画像を、その画像取得時刻および撮像装置が設置されたスロットマシンを特定する情報とともに保存する手段を具備して成る請求項１または２に記載されたスロットマシンの監視システム。
【請求項４】
遊技場に設置された複数台のスロットマシンを監視するためのシステムであって、
各スロットマシンの筐体の内部には、それぞれリールユニットとメダル払出装置と制御基板とが収容され、前記筐体の前面扉の開放を検知するためのドアセンサが設けられるとともに、前記制御基板を視野に含むようにして撮像装置が設置され、
前記遊技場には、各スロットマシンのドアセンサおよび撮像装置に電気接続された管理装置が配備され、
前記管理装置は、いずれかのドアセンサからの扉開放検知信号がオン状態になったとき、そのセンサと同じ筐体内に設置された撮像装置を作動させる手段と、前記作動させた撮像装置について、現時点で得た画像データと所定時間前に得た画像データとの差分を求める処理を繰り返し実行する手段と、前記差分処理結果に変化が現れたとき、所定の警告信号を出力する手段とを具備して成るスロットマシンの監視システム。
【発明の詳細な説明】
【技術分野】
【０００１】
この発明は、遊技場内に設置された複数台のスロットマシンを対象として、これらのスロットマシンにおいて不正な行為が行われていないかどうかを監視するためのシステムに関する。
【背景技術】
【０００２】
典型的なスロットマシンの機体は、ボックス形状の筐体の前面に扉が組み付けられて成る。筐体内には、複数のリールを有するリールユニット、ホッパを具備するメダル払出装置、コンピュータが搭載された制御基板などが配備される。また、前面の扉には、前記リール上の図柄を表示するための図柄表示窓が設けられ、その下方に、始動レバーやリール毎の停止スイッチなどが配備される。
【０００３】
上記のスロットマシンやパチンコ機が多数設置される遊技場（パチンコホール）においては、「ゴト」と呼ばれる不正行為が問題となっており、従来より、ゴトの摘発や防止のために、テレビカメラを用いた監視システムが提案されている。
【０００４】
たとえば、下記の特許文献１には、横並びに配置された複数の遊技機を撮影可能な位置にカメラを設け、これら一群の遊技機のいずれかにおいて、扉が開放されるなどの異常が検出されたとき、その異常が発生した遊技機をズームイン状態で撮影し、得られた画像を表示したり、録画するようにしたシステムが記載されている。また、特許文献２には、各パチンコ機の機体の上方に監視カメラを下向き状態に設置することにより、遊技者の体等に遮られることなく、パチンコ機の前面を的確に撮影できるようになる旨が記載されている。
【０００５】
【特許文献１】特開平５−１６８７６０号公報    （段落［００１５］、［０１０１］〜［０１０７］参照。）
【特許文献２】特開平７−３２８２１６号公報    （段落［０００７］［０００８］［００１１］、図１，２  参照。）
【発明の開示】
【発明が解決しようとする課題】
【０００６】
スロットマシンに対する不正行為は、筐体内部の制御基板、またはその基板上の部品（プログラムが格納されたＲＯＭなど）を不正なものにすり替えたり（以下、これを「基板等のすり替え」という。）、ホッパからメダルを抜き取るなど、前面の扉を開放して行われることが多い。これらの不正のうち、特に基板等のすり替えは、スロットマシンに不法なプログラムによるゲーム制御を行わせるものとなるから、断じて許されるものではなく、きびしく摘発する必要がある。
【０００７】
ところで、一般的なスロットマシンには、扉の開放を検出するためのドアセンサが設けられているが、スロットマシンの扉は、係員が当たりの確率設定を変更したり、ホッパのメダル詰まりを取り除くなど、正当な理由で開放されることも多い。このため、扉が開放されただけで不正行為が行われているとは判断できず、実際に現場に行って確認するか、カメラからの映像によって確認する必要がある。
【０００８】
前記した特許文献１に記載の発明では、扉の開放に応じて撮影を開始することができるが、この撮影は遊技機の外部で行われるため、筐体内の奥まった場所まで撮影できない可能性がある。大半のスロットマシンでは、制御基板を筐体の奥に収容しているので、前記特許文献１のような方法では、基板に対する不正行為を撮影するのは困難になる。特に、最近は、複数人で遊技台を取り囲んで不正行為を行うケースが増えているため、外部から制御基板付近を撮影するのは、ますます困難になる。
【０００９】
また、特許文献２に記載された撮像装置の配置をスロットマシンに適用した場合には、扉が開放されたことは判断できる。しかしながら、この配置では、筐体の前端縁付近しか撮影されないので、扉の開放が基板等のすり替えを目的とするものか、または正当な理由により行われたものかまで判断できない、という問題がある。
【００１０】
このように、制御基板やその周囲を撮影できない場合には、たとえ扉が開放されたことが判明しても、その扉を開放した者が制御基板等のすり替えを行ったという確かな証拠を得るのは困難である。不正行為の内容を特定できない場合には、不正行為者を捕らえても、十分な罰則を課すことができない可能性がある。また、基板等がすり替えられたにも関わらず、小さな不正行為が摘発されるに留まり、不正な制御基板がそのまま使用されるおそれもある。
【００１１】
この発明は上記問題に着目してなされたもので、スロットマシンの制御基板またはその基板上の部品をすり替える、という不正行為を高い確度で検出できるようにすることを目的とする。
【課題を解決するための手段】
【００１２】
この発明は、遊技場に設置された複数台のスロットマシンを監視するためのシステムにかかるものである。各スロットマシンの筐体の内部には、それぞれリールユニットとメダル払出装置と制御基板とが収容され、前記筐体の前面扉の開放を検知するためのドアセンサが設けられる。また、この筐体内には、前記制御基板を視野に含むようにして撮像装置が設置される。
【００１３】
一方、前記遊技場には、各スロットマシンのドアセンサおよび撮像装置に電気接続された管理装置が、画像表示機能を具備する１台以上の端末装置に通信可能な状態で配備される。この管理装置は、いずれかのドアセンサからの扉開放検知信号がオン状態になったとき、そのセンサと同じ筐体内に設置された撮像装置を作動させ、その撮像装置からの画像データを前記端末装置に出力するように構成される。
【００１４】
上記において、ドアセンサは、扉部の内面や筐体の前端縁などに取り付けられるもので、押釦式のスイッチ、リミットスイッチ、光電スイッチなどにより構成することができる。撮像装置は、ディジタルまたはアナログのビデオカメラであるのが望ましいが、これに限らず、静止画を生成するものであってもよい。ただし、静止画生成用のカメラを使用する場合には、外部からの駆動信号に対して複数枚の画像を連続生成する機能を具備するものを用いるか、または管理装置により複数回の駆動信号を与えるようにするのが望ましい。
【００１５】
管理装置は、コンピュータを制御主体とするもので、遊技場内の管理室など、適所に設けることができる。端末装置は、画像表示機能を具備するだけのもの（いわゆるモニタ）であっても良いが、これに限らず、画像表示を制御する機能や、その機能を動かすための操作部などを具備する装置（たとえばパーソナルコンピュータ）を用いてもよい。また、管理装置に無線通信機能が設定される場合には、ＰＤＡのような携帯端末装置を使用してもよい。
【００１６】
上記構成の監視システムによれば、いずれかのスロットマシンの扉が開放されると、ドアセンサからの扉検知信号がオンになり、これに応じて撮像装置が作動する。この撮像装置からの画像は、管理装置を介して端末装置に送信され、表示される。
ここで、撮像装置は制御基板を視野に含むように設置されているので、制御基板に対する不正行為が行われた場合には、不正行為者の手や頭部などが撮影される可能性が高くなる。したがって、端末装置に表示された画像により、不正行為が行われていることを即座に確認することができ、警報を出力したり、警備員を不正行為の現場に向かわせるなどの対応をとることができる。
【００１７】
なお、前記撮像装置は、制御基板とともにその前方の所定範囲を撮影できるように、取付位置や視野の大きさが調整されるのが望ましい。より好ましくは、筐体の開口部よりも前方であって、扉部を開いた人の顔が位置すると考えられる場所から前記制御基板までの範囲が撮像装置の視野に含まれるようにするとよい。このようにすれば、制御基板に対する不正行為を撮影すると同時に、その不正行為者の顔を撮影することが可能となるから、撮影により得られた画像を、不正行為を立証するための有力な資料として使用することができる。
【００１８】
つぎに、上記監視システムにかかる一態様では、各スロットマシンの筐体内部には、前記メダル払出装置を視野に含むようにして第２の撮像装置が設置される。前記管理装置は、前記ドアセンサからの扉開放検知信号がオン状態になったとき、そのセンサと同じ筐体内に設置された２台の撮像装置を作動させるように構成される。
【００１９】
上記構成によれば、基板等の差し替えのほか、メダル払出装置に対する不正行為（ホッパからのメダル抜き取り、メダルの強制払出など）が行われた場合に、その不正行為を撮影することが可能となる。よって、スロットマシンの扉を開放しての不正行為の大半を摘発することが可能となり、セキュリティを大いに高めることができる。
【００２０】
さらに、この発明の好ましい態様にかかる監視システムでは、前記管理装置に、前記撮像装置からの画像を、その画像取得時刻および撮像装置が設置されたスロットマシンを特定する情報とともに保存する手段が設けられる。前記画像取得時刻は、扉開放検知信号が出力されている期間、すなわち扉が開放されている期間に対応することになる。したがって、扉が開放されたスロットマシンやその扉が開放された時刻を示す情報と、扉開放時に行われた不正行為の内容を示す画像とが対応づけて保存されることになり、不正行為の確認や不正行為の立証のための資料作成を容易に行うことができる。
【００２１】
つぎに、この発明にかかる他の構成の監視システムについて説明する。このシステムでも、各スロットマシンの筐体の内部には、それぞれリールユニットとメダル払出装置と制御基板とが収容され、前記筐体の前面扉の開放を検知するためのドアセンサが設けられる。また前記制御基板を視野に含むようにして撮像装置が設置される点も同様である。
【００２２】
一方、遊技場には、各スロットマシンのドアセンサおよび撮像装置に電気接続された管理装置が配備される。この管理装置には、いずれかのドアセンサからの扉開放検知信号がオン状態になったとき、そのセンサと同じ筐体内に設置された撮像装置を作動させる手段と、前記作動させた撮像装置について、現時点で得た画像データと所定時間前に得た画像データとの差分を求める処理を繰り返し実行する手段と、前記差分処理結果に変化が現れたとき、所定の警告信号を出力する手段とが設けられる。
【００２３】
上記構成のシステムでは、スロットマシンの扉が開放されると、撮像装置が作動して制御基板を含む所定領域内の画像を管理装置に送信するようになる。前記管理装置は、この撮像装置について、現時点で得た画像データと所定時間前に得た画像データとの差分を求める処理を繰り返し実行し、前記差分処理結果に変化が現れたときに所定の警告信号を出力する。ここで、差分処理結果の変化とは、撮像装置の視野内の状態の変化により生じるものである。たとえば、不正行為者の手や頭部が撮影されたこと、適正な基板が取り外されたこと、不正な基板が取り付けられたことによって変化が発生することになる。
【００２４】
前記したように、スロットマシンの扉は、正当な理由により開放されるケースが多々あるが、これらのケースにおいては、制御基板に人の手が及んだり、制御基板が動かされるようなことはない。上記構成によれば、制御基板やその周辺に何らかの変化が現れたときに警告情報が出力されるので、基板等をすり替えるための扉の開放と正当な理由による扉の開放とを切り分けて検出することができる。
【００２５】
なお、警告信号は、警報ブザーやランプに出力することができるが、これに限らず、たとえば前記した端末装置に警告信号を与えて、端末装置側で警告出力処理を行うようにしてもよい。また、この構成のシステムでも、撮像装置からの画像を端末装置に与えて表示させたり、画像取得時刻に対応づけて保存したりすることができる。
【００２６】
さらに、この構成の管理システムでも、メダル払出装置を視野に含むようにして第２の撮像装置を設置し、２台の撮像装置を扉開放検知信号がオン状態になったときに作動させることができる。この場合、第２の撮像装置からの画像を端末装置などに表示させるようにすれば、基板のすり替えは行われなくとも、メダル払出装置に対して不正行為が行われた場合に、表示された画像によりその不正を即座に確認することができる。
【発明の効果】
【００２７】
この発明によれば、ドアセンサにより扉の開放が検出されたときに撮像装置を作動させて、制御基板を含む所定領域を撮像するようにしたので、基板等を差し替える不正行為を高い確度で検出することができる。
【発明を実施するための最良の形態】
【００２８】
図１は、この発明が適用されたスロットマシンの外観を示す。この実施例のスロットマシン１の機体１Ａは、前面開口の筐体２と、この筐体２の開口部を覆うように組み付けられた扉部３とにより構成される。扉部３は、ゲームの表示部および操作部としても機能するもので、金属製の枠体に３枚のパネル１１，１２，１３などが組み付けられて構成される。なお、これらのパネル１１，１２，１３は、透明の樹脂パネルにシルクスクリーン印刷による着色を施した構成のものである。
【００２９】
上方の上部パネル１２には、各種入賞の内容を示す情報として、図柄の組合せや入賞時のメダルの払出枚数などが印刷され、下方の下部パネル１３には、機種名などの情報が印刷される。
上部パネル１２の両側には、効果音出力用のスピーカー１５，１６が設けられる。また下部パネル１３の下方には、メダル払出口１７，メダル受け皿１８などが設けられる。
【００３０】
中央の正面パネル１１は、ゲームの進行状態を表示するエリアとして使用される。この正面パネル１１の中央部には、無着色の図柄表示窓２０が形成され、さらにその下方に、複数の数値表示器２１が配備される。図柄表示窓２０は、後記するリールユニット８の３個のリール８ａ，８ｂ，８ｃを表示可能な幅と、これらリール８ａ，８ｂ，８ｃ毎の３個の図柄を表示可能な長さとを持つように形成される。
【００３１】
正面パネル１１と下部パネル１３との間には、遊技のためのメダルを受け付けるメダル投入口２４、各リール８ａ，８ｂ，８ｃを一斉に回転させるための始動レバー２５、各リール８ａ，８ｂ，８ｃを個別に停止させるための停止スイッチ２６ａ，２６ｂ，２６ｃ、電子データ形式で貯留されたクレジットメダルからゲームへの賭けメダルを設定するためのベットスイッチ２７、前記クレジットメダルを精算するための精算スイッチ２８などが配備される。
【００３２】
図２は、前記機体１Ａの内部構成を示す。
前記筐体２の内底面２Ｂには、ホッパ６を具備するメダル払出装置７や電源ユニット４などが配備される。また、前記図柄表示窓２０に対応する高さ位置には、リールユニット８が配備される。このリールユニット８は、樹脂製のフレーム８ｄに３個のリール８ａ，８ｂ，８ｃが組み付けられた構成のもので、筐体２の後板２Ａにネジ止めされる。さらに、前記後板２Ａのリールユニット８の上方位置には、スロットマシンの主制御部を含む制御回路（図示せず。）が搭載された制御基板５が配備される。また、リールユニット８の下方位置には、低音出力用のスピーカー１４などが配備される。
【００３３】
一方、扉部３の裏面には、前記ホッパ６およびメダル払出口１７に連通するメダル通路２３，２４が設けられる。また、前記図柄表示窓２０の下方には、中継基板２９が配備される。この中継基板２９には、ゲーム用の各種スイッチを制御部に中継するための回路が形成されるほか、前記数値表示器２１を構成するＬＥＤ（図示せず。）の配線パターンなどが形成される。
【００３４】
前記扉部３の開放される側の上端部には、扉部３の開閉を検出するためのドアセンサ９が設けられる。この実施例のドアセンサ９は押釦スイッチであって、筐体２側にボタンを向けた状態で、扉部３の裏面に若干の間隙をもって取り付けられる。一方、筐体２の開口部には、前記ドアセンサ９に対向する位置に当接板１９が設けられる。これにより、蓋部３が筐体２に合わせられると、ドアセンサ９のボタンが当接板１９により押し込められ、接点が閉じることになる。なお、以下では、ドアセンサ９からの信号を「扉開放検知信号」として捉え、前記接点が開状態にあるときを「扉開放検知信号のオン状態」として表すことにする。
【００３５】
この実施例のスロットマシン１では、筐体２内の一方の壁面に、２台のカメラ１０Ａ，１０Ｂが取り付けられる。これらのカメラ１０Ａ，１０Ｂは、ＣＣＤまたはＣＭＯＳを有するディジタルビデオカメラであって、第１のカメラ１０Ａは、リールユニット８の上方の空間に、前記制御基板５を視野に含むように設置される。また、第２のカメラ１０Ｂは、リールユニット８とホッパ６との間の空間に、ホッパ６を視野に含むように設置される。なお、これらのカメラ１０Ａ，１０Ｂは、それぞれ駆動回路や画像データ中継用のインターフェース回路などが形成された専用基板（図示せず。）に接続される。
【００３６】
上記構成のスロットマシン１は、図３に示す監視システムに組み込まれる。この監視システムは、複数のスロットマシン１を対象として、これらスロットマシン１の制御基板５をすり替えたり、ホッパ６からメダルを抜き取るような不正行為が行われたとき、これを即座に検出して対応するためのものである。具体的なシステムは、各スロットマシン１毎のドアセンサ９およびカメラ１０Ａ，１０Ｂ、管理装置１００、パーソナルコンピュータ（ＰＣ）２０１、および表示専用の装置（モニタ装置）２０２により構成される。なお、図３では、前記２台のカメラ１０Ａ，１０Ｂを、便宜上、１つのブロックにして、符号１０により示している。
【００３７】
各スロットマシン１のドアセンサ９は、図示しない中継基板を介して管理装置１００に接続される。また各カメラ１０Ａ，１０Ｂも、前記した専用基板を介して管理装置１００に接続される。なお、ドアセンサ９およびカメラ１０Ａ，１０Ｂの電源は、同じ筐体２内の電源ユニット４から供給される。
【００３８】
前記管理装置１００は、所定大きさの基板として構成される。なお、この基板は、遊技場内の所定位置に設けられた制御ボックス（図示せず。）内に収容される。管理装置１００には、コンピュータによる制御部のほか、前記ドアセンサ９用のインターフェース１０２、カメラ１０Ａ，１０Ｂ用のインターフェース１０３、ＰＣ２０１やモニタ装置２０２との通信用のインターフェース１０４、および画像データを保存するためのハードディスク装置１０５などが組み込まれる。
【００３９】
なお、各スロットマシン１には、それぞれ所定桁の識別番号が付与される。制御部１０１では、各スロットマシン１毎のドアセンサ９およびカメラ１０Ａ，１０Ｂを前記識別番号に基づき管理するようにしている。
【００４０】
上記構成において、所定のドアセンサ９からの扉開放検知信号がオン状態となると、制御部１０１は、このドアセンサ９と同じ筐体１内にあるカメラ１０Ａ，１０Ｂを作動させ、これらのカメラ１０Ａ，１０Ｂからの動画像の取り込みを開始する。制御部１０１は、取り込まれた動画像データを内部メモリに蓄積するとともに、ＰＣ２０１およびモニタ装置２０２に送信する。
【００４１】
さらに制御部１０１は、カメラ１０Ａ，１０Ｂからの動画像の配信が終わると、前記内部メモリに蓄積された画像データを動画像ファイルとして編集し、これを前記ハードディスク装置１０５に保存する。なお、この動画像ファイルは、カメラ１０Ａ，１０Ｂ毎に個別に作成されるもので、各ファイルとも、画像配信元のスロットマシンの識別番号、撮影日、撮影時刻などを含むインデックス情報が添付される。
【００４２】
モニタ装置２０２は、管理装置１００から送信された画像を受動的に表示する。一方、ＰＣ２０１は、キーボードやマウスなどの操作部を用いて、表示画像を選択するなどの制御を行うことができる。また、この実施例のＰＣ２０１には音声出力機能が設けられており、管理装置１００からの動画像の送信が開始されると、所定時間の間、警告音を出力するように設定されている。さらに、ＰＣ２０１には、前記制御部１０１との通信により、ハードディスク装置１０５に保存された動画像ファイルを読み出して、表示することができるように設定される。
【００４３】
図４は、前記管理装置１００の制御部１０１が実行する手順を示す。なお、図中および以下の説明において、ＳＴは「ＳＴＥＰ（ステップ）」の略である。
まず、いずれかのドアセンサ９からの扉開放検知信号がオンになると、ＳＴ１が「ＹＥＳ」となり、つぎのＳＴ２において、扉部３が開放されたスロットマシン１を認識する（具体的には、扉開放検知信号がオン状態となったドアセンサ９に対応する識別番号を認識することになる。）。
【００４４】
つぎのＳＴ３では、前記開放されたスロットマシン１のカメラ１０Ａ，１０Ｂに制御信号を出力することによって、撮影を開始させる。そして、以後は、前記ドアセンサ９の扉開放検知信号がオフとなるまで、カメラ１０Ａ，１０Ｂからの画像を前記ＰＣ２０１やモニタ装置２０２に表示させつつ、内部メモリへの動画像の蓄積処理を行う（ＳＴ４，５）。
【００４５】
この後、前記扉開放検知信号がオフとなると、ＳＴ５からＳＴ６に進み、前記カメラ１０Ａ，１０Ｂによる撮影を終了する。さらに、つぎのＳＴ７では、前記蓄積された画像を動画像ファイルに編集してハードディスク装置１０５に保存する処理を実行し、しかる後に処理を終了する。
【００４６】
上記の監視システムによれば、複数台のスロットマシン１のいずれかの扉部３が開放されたとき、その筐体２内に配備されたカメラ１０Ａ，１０Ｂが撮影を開始し、制御基板５を撮影対象とした画像とホッパ６を撮影対象とした画像とが生成される。これらの画像は、管理装置１００を介してＰＣ２０１やモニタ装置２０２に送信され、表示されるので、制御基板５やホッパ６に対する不正行為が行われた場合には、この不正行為の現場を撮影することが可能になる。またＰＣ２０１では、画像表示が開始されると同時に警告音が出力されるので、係員に、表示画面への注視を促すことができる。よって、不正行為を高い確度で確認することができ、不正行為の現場に警備員を派遣するなど、早期の対応をとることができる。
【００４７】
また、管理装置１００では、扉部３が開放される毎に、その開放されたスロットマシン１で撮影された動画像を保存するので、不正行為の内容を詳細に確認したり、不正行為を立証する資料を作成する作業を容易に行うことができる。特に制御基板５については、不正行為が行われたことが見過ごされる可能性が大幅に削減されるから、不法な制御によるゲームが行われるのを防止でき、セキュリティを高めることができる。
【００４８】
なお、前記図２の例では、カメラ１０Ａを、その光軸を後方の制御基板５に向けた状態で配備しているが、カメラ１０Ａの設置例はこれに限定されるものではない。たとえば、カメラ１０Ａを筐体２の奥部に設け、制御基板５とともに、扉部３を開いた人の顔が含まれると考えられる範囲が撮影されるように、光軸の角度や視野の大きさを調整してもよい。このようにすれば、制御基板５に対する不正行為が行われている状態を撮影すると同時に、その不正行為者の顔を撮影することが可能となる。
【００４９】
また、上記図３の構成では、管理装置１００に対する端末装置として、ＰＣ２０１およびモニタ装置２０２を配備したが、管理装置１００に無線通信機能を持たせ、ＰＤＡのような携帯端末に画像を配信することもできる。この携帯端末を警備員に持たせ、画像とともに、扉部３が開放されたスロットマシンの識別番号を前記携帯端末に送信するようにすれば、不正行為が行われている現場にいち早く警備員を向かわせることができ、防犯効果を高めることができる。
【００５０】
つぎに、制御基板５に対する不正行為をより高い確度で検出するには、管理装置１００の制御部１０１に、図５に示すような制御を行わせるとよい。なお、この図５では、カメラ１０Ａとして、ディジタルスチルカメラを使用し、所定時間毎に、撮影を行うようにしている。
【００５１】
図５は、前記図４とは独立した手順であるが、混同を避けるため、ＳＴ１１から処理が開始されるものとして説明する。まず、いずれかのドアセンサ９からの扉開放検知信号がオン状態となると、ＳＴ１１からＳＴ１２に進み、扉部３が開放されたスロットマシン１を認識する。さらに、ＳＴ１３では、この認識したスロットマシン１に対応するカメラ１０Ａに駆動信号を出力し、撮影を行わせる。なお、カメラ１０Ａから送信された静止画像データは、制御部１０１の内部メモリに一時保存される。
【００５２】
この後、制御部１０１は、所定時間ｔが経過するまで待機し、しかる後に、カメラ１０Ａに再び駆動信号を出力する（ＳＴ１４，１５）。この制御によりカメラ１０Ａから出力された静止画像データも、制御部１０１の内部メモリに一時保存される。また、ここには図示していないが、ＳＴ１３，１５で得た画像は、先の実施例と同様に、ＰＣ２０１やモニタ装置２０２などの端末装置に出力されて、表示される。
【００５３】
つぎに、ＳＴ１６では、ＳＴ１５で得た最新の画像と前記ＳＴ１３で得た一段階前の画像との差分演算処理を実行する。この差分演算処理は、対応する画素毎に行われるもので、２つの画像間に大きな変化が現れることがなければ、いずれの画素でも差分演算結果は０に近似する値となる。
【００５４】
ＳＴ１７では、前記差分演算結果に基づき、最新の画像において、一段階前の画像から変化した部分があるか否かを判断する。この判断は、前記画素毎の差分演算結果を所定のしきい値と比較することにより行われるもので、差分演算結果がしきい値を超える画素が所定数以上ある場合に、「変化あり」と判断される。
【００５５】
ＳＴ１７において、画像に変化が現れていないと判断された場合には、ＳＴ１８に進み、前記扉開放検知信号がオフになったかどうかを判断する。ここで、扉開放検知信号のオン状態が維持されている場合（すなわち、扉部３が開放された状態が続いている場合）には、ＳＴ１４に戻る。よって、この後はＳＴ１４〜１７の手順により、ｔ時間経過後に再びカメラ１０Ａ，１０Ｂが作動し、新たに生成された画像と一段階前の画像との差分演算処理と、画像に変化が現れたかどうかを判断する処理とが実行されることになる。
【００５６】
以下、同様にして、ＳＴ１４〜１８のループが繰り返され、所定の時点で、画像に変化が現れたと判断されると、ＳＴ１７からＳＴ１９に進む。このＳＴ１９では、前記ＰＣ２０１の警告音出力機能などを用いて警報を出力する。この警報の出力は、つぎのＳＴ２０において終了操作が確認されるまで、繰り返し行われる。なお、終了操作は、ＰＣ２０１の操作部または管理装置１００に付随のリモートコントロール装置などにより行うことができる。
【００５７】
上記図５の手順によれば、カメラ１０Ａの視野内に不正行為者の手や頭部などが入ったときに警報が出力されるから、不正行為を速やかに検出することができる。また、仮に、不正行為者がカメラ１０Ａの視野に身体が入らないようにして不正を行ったとしても、制御基板５が取り外されたり、不正な基板が取り付けられたりしたときに、画像に変化が現れることになる。
【００５８】
さらに、係員が確率設定を変更するなど、正当な目的で扉部３が開放された場合には、制御基板５やその周辺に人の手や頭部が伸びることはないから、扉部３が開放されている間、画像に顕著な変化が現れることはない。したがって、この場合には、警報が出力されないまま処理が終了することになる。なお、カメラ１０Ａを扉部３を開けた者の顔を撮影できるように配置した場合には、前記差分処理は、画像上の制御基板５に対応する領域に限定して行われるのが望ましい。
このように、図５の手順によれば、制御基板５に対する不正行為を高い確度で自動検出することができ、セキュリティーを高めることができる。
【００５９】
なお、ホッパ６側のカメラ１０Ｂについては、メダル詰まりを直すなどの正当な目的で、人の身体が撮影されることがあるから、図５のように、不正行為を自動的に検出するのは困難である。よって、カメラ１０からの画像に対して図５の手順を実行する場合でも、カメラ１０Ｂからの画像に対しては、図４と同様の手順を実行するのが望ましい。
【００６０】
さらに、図５の実施例においても、毎時の画像をとりまとめた画像ファイルを作成し、ハードディスク装置１０５に保存することができる。また、図５の手順では、カメラ１０Ａとしてディジタルスチルカメラを使用するようにしたが、最初の実施例と同様にディジタルビデオカメラを使用し、フレーム毎の画像を順番に差分処理していくようにしてもよい。
【００６１】
また、図３，５のいずれの実施例においても、カメラ１０Ａ，１０Ｂとして、アナログ式のカメラを使用してもよい。ただし、図５の実施例を適用する場合には、カメラ１０Ａからのアナログ画像をディジタル変換してから差分演算処理を実行する必要がある。
【図面の簡単な説明】
【００６２】
【図１】スロットマシンの外観を示す斜視図である。
【図２】スロットマシンの内部構成を示す斜視図である。
【図３】管理システムの構成を示すブロック図である。
【図４】管理装置の制御手順を示すフローチャートである。
【図５】管理装置の制御手順の他の例を示すフローチャートである。
【符号の説明】
【００６３】
１  スロットマシン
２  筐体
３  扉部
６  ホッパ
７  メダル払出装置
８  リールユニット
９  ドアセンサ
１０Ａ，１０Ｂ  カメラ
１００  管理装置
１０１  制御部
２０１  パーソナルコンピュータ（ＰＣ）
２０２  モニタ装置
【図１】
2005073936.tif 000003
【図２】
2005073936.tif 000004
【図３】
2005073936.tif 000005
【図４】
2005073936.tif 000006
【図５】
2005073936.tif 000007